(57)【要約】【課題】薄型で裏機構部材との整合性が高く、かつ遊技盤の着脱作業を容易化した遊技盤の固定保持機構を提供する。【解決手段】所定の遊技領域ＰＡが形成された遊技盤２０を遊技機の前方から着脱可能に収容して遊技領域をガラス扉５に臨むように配設させる枠部材１１に遊技盤を固定する固定機構７０が設けられる。枠部材１１には、遊技盤が収容されたときに遊技盤と係合して遊技盤を収容姿勢に仮止めする仮止め金具６１が設けられる。また固定金具７１と対向して遊技盤の裏面側を支持する当て板部１１ａが設けられる一方、遊技盤２０の裏面側に当て板部１１ａを受容する当て板受容部４１ａが形成され、遊技盤２０が固定機構により固定されたときに、当て板部材１１ａが当て板受容部４１ａに受容されて枠部材の裏面側と遊技盤の裏面側とが平坦になるように固定保持機構が構成される。【選択図】　図８
2004016251.tif 000002
【特許請求の範囲】
【請求項１】
遊技釘および入賞具を有して所定の遊技領域が形成された遊技盤と、前記遊技盤を遊技機の前面側から着脱可能に収容して前記遊技領域をガラス扉に臨むように配設させる枠部材と、前記枠部材に収容されて収容姿勢に位置した前記遊技盤を前記枠部材に固定保持させる固定手段とを備え、前記遊技盤が前記固定手段により前記枠部材に固定された状態で遊技に供される遊技機において、
前記枠部材には前記遊技盤が前記枠部材に収容されたときに前記遊技盤と係脱可能に係合して前記遊技盤を前記収容姿勢で仮止めする仮止め部材を有し、
前記固定手段には前記収容姿勢に位置した前記遊技盤の前面側と係脱可能に係合して前記遊技盤を後方に押圧する押圧部材を有し、
前記枠部材には前記遊技盤を収容する枠部の内方に突出し前記押圧部材と対向して前記遊技盤の裏面側を支持する当て板部を有し、
前記遊技盤の裏面側には前記当て板部を受容する当て板受容部が形成されており、
前記遊技盤を前記枠部材に収容させたときに前記遊技盤が前記仮止め部材により前記収容姿勢に仮止めされ、前記仮止めされた前記遊技盤を前記固定手段により固定したときに前記当て板部材が前記当て板受容部に受容されて前記枠部材の裏面側と前記遊技盤の裏面側とが平坦になるように構成されていることを特徴とする遊技盤の固定保持機構。
【発明の詳細な説明】
【０００１】
【発明の属する技術分野】
本発明は、所定の遊技領域が形成された遊技盤を遊技機の前面側から着脱可能に収容する枠部材と、この枠部材に収容された遊技盤を収容姿勢に固定保持する固定手段とを備え、固定手段により遊技盤が固定保持された状態で遊技に供される遊技機に関し、さらに詳細にはこのような遊技機において遊技盤の着脱作業を容易化した薄型の遊技盤の固定保持機構に関する。
【０００２】
【従来の技術】
上記のような遊技機としてパチンコ機、アレンジボール機、いわゆる雀球遊技機などがある。この種の遊技機の代表例として例示されるパチンコ機では、案内レールで囲まれた遊技領域内に多数本の遊技釘や風車、種々の入賞具等が所定のゲージ設定で配設された遊技盤を有し、この遊技盤の遊技領域に打球発射装置から遊技球を打ち出して入賞具に落入させ入賞条件に応じた賞球の払出を受けることで、その賞球の増減を通して遊技を展開するように構成されている。
【０００３】
遊技盤は、上下の球皿や打球発射装置の操作ハンドルなどが設けられた前枠の前面側もしくは裏面側、または、遊技球を貯留するタンク部材や球払出装置などの賞球機構が設けられて前枠の裏側に配設される裏機構枠の前面側などに取り付けられ、前枠の前面側に横開き開閉可能に取り付けられたガラス扉を通して遊技領域を遊技者に臨ませるように構成される。
【０００４】
ここで、遊技盤の取付構造は、機種変更時における組み立て工程の対応の迅速化や遊技施設における遊技盤の交換作業容易化等のため着脱交換可能に構成することが望ましい。このため、例えば、遊技盤を遊技機の正面側から前枠の前面側に着脱させる形態（本明細書において便宜的に「前枠前方着脱形態」という）の遊技機にあっては、ガラス扉の背後に位置する前枠の前面側に遊技盤の外形寸法よりもわずかに大きめな枠寸法を有する額縁状の収容枠を形成して前枠の前方から遊技盤を着脱可能に収容させるとともに、この収容枠に遊技盤を固定する固定手段を設け、収容枠に収容された遊技盤を固定保持するように構成されている。
【０００５】
【発明が解決しようとする課題】
ところで、遊技盤を前枠に収容して固定保持するためには、着脱方向と反対側の枠部に遊技盤を前後方向に支持する支持構造が必要であり、例えば、上記した従来の前枠前方着脱形態の遊技機では、収容枠が額縁状に形成されて遊技盤の裏面を支持する後方支持面が形成されていた。このため、収容枠の枠部の厚さは遊技盤の基板となる化粧板（いわゆるベニヤ）の板厚に後方支持面の成形厚さを加えた寸法となり、収容枠を含む前枠全体の前後方向寸法が大型化するという問題があった。また、収容枠の後方にはタンク部材や球払出装置などの賞球機構、遊技盤の裏面側に排出される遊技済み球の処理経路などが形成された裏機構枠が、一般に横開き開閉可能に取り付けられており、後方支持面が収容枠の裏面側に張り出されれると裏機構枠との整合性が悪化するという問題もあった。
【０００６】
さらに、従来の遊技機では作業者が遊技盤を収容枠に収容させた後、固定手段により遊技盤を固定保持させるまでの間は、遊技盤が収容枠に収められただけの状態であり、例えば上記した前枠前方脱着形態の遊技機にあっては、遊技盤を後方に押圧する押圧力を緩めると遊技盤の上部が前方に倒れ出てきたり遊技盤の下部が前方に滑り出てきて、遊技盤を落下させてしまったり遊技盤の裏面側に接続したコネクタケーブルを破損させてしまうおそれ等があった。このため、作業者は遊技盤を収容枠に収容させた後、片方の手で遊技盤を押さえながら他方の手で固定手段を操作して遊技盤の固定作業を行わざるを得ず、熟練作業者にとっても作業が繁雑であるという問題があった。特に遊技機を遊技施設に設置した後の盤面交換作業は遊技盤の着脱を習熟していない作業者が行うことが多く、このような作業者であっても容易かつ安全に遊技盤の着脱交換を行うことができる遊技機が求められていた。
【０００７】
本発明は、このような問題に鑑みて成されたものであり、収容枠を含む遊技機全体の前後方向寸法を小型にかつ裏機構枠などとの整合性を良好に構成するとともに、遊技盤の着脱作業を容易化して作業性を向上させた遊技機を提供することを目的とする。
【０００８】
【課題を解決するための手段】
上記目的を達成するため、本発明は、遊技釘および入賞具を有して所定の遊技領域が形成された遊技盤と、この遊技盤を遊技機の前面側から着脱可能に収容して遊技領域をガラス扉に臨むように配設させる枠部材（例えば実施形態における前枠２）と、枠部材に収容されて収容姿勢に位置した遊技盤を枠部材に固定保持させる固定手段（例えば実施形態における固定機構７０，８０等）とを備え、遊技盤が固定手段により枠部材に固定された状態で遊技に供される遊技機に関するものである。そのうえで、枠部材には遊技盤が枠部材に収容されたときに遊技盤と係脱可能に係合して遊技盤を収容姿勢で仮止めする仮止め部材（例えば実施形態における仮止め金具６１）を有し、固定手段には収容姿勢に位置した遊技盤の前面側と係脱可能に係合して遊技盤を後方に押圧する押圧部材（例えば実施形態における固定金具７１，８１等）を有し、枠部材には遊技盤を収容する枠部の内方に突出し押圧部材と対向して遊技盤の裏面側を支持する当て板部を有するとともに、遊技盤の裏面側に当て板部を受容する当て板受容部を形成し、遊技盤を枠部材に収容させたときに遊技盤が仮止め部材によって収容姿勢に仮止めされ、仮止めされた遊技盤を固定手段により固定したときに当て板部材が当て板受容部に受容されて枠部材の裏面側と遊技盤の裏面側とが平坦になるように遊技盤の固定保持機構を構成する。
【０００９】
このような構成の固定保持機構では、枠部材に枠部の内方に突出する当て板部が設けられ、遊技盤の裏面側には当て板部を受容する当て板受容部が形成されて、遊技盤を枠部材に収容させて固定手段により固定したときに、当て板部材が当て板受容部に受容されて枠部材の裏面側と遊技盤の裏面側とが平坦になるように構成される。このため、従来、遊技盤の裏面よりも後方に形成されていた後方支持面を削除して収容枠の枠部の厚さを化粧板の板厚と同程度に収めることができ、収容枠を含む遊技機全体の前後方向寸法を小型に構成することができる。また、遊技盤が枠部材に固定されたときに枠部材の裏面側と遊技盤の裏面側とが平坦になるため、枠部材の背後に位置する部材との整合性が良好な固定保持機構を提供することができる。
【００１０】
また、上記構成の固定保持機構では、遊技盤が枠部材に収容されたときに遊技盤と係合して遊技盤を収容姿勢に仮止めする仮止め部材が設けられており、この仮止め部材は固定手段による遊技盤の固定を解除した状態でも遊技盤を収容姿勢に維持する。このため、作業者が遊技盤を枠部材に収容させると遊技盤が仮持部材によって収容姿勢に仮止めされ、この状態で遊技盤から手を離してもその収容姿勢が保持される。従って、遊技盤の着脱時に作業者が遊技盤を片手で押さえていなくても遊技盤が傾動したり滑り出たりするようなことがなく、熟練作業者でなくとも容易かつ安全に盤面交換を行える遊技機を提供することができる。
【００１１】
なお、上記「枠部材」とは、遊技盤を着脱可能に収容して遊技領域をガラス扉に臨むように配設させる部材をいい、例えば、遊技盤を収容する収容枠が前枠の前面側または裏面側に設けられる場合（前枠前方着脱形態または前枠後方着脱形態の遊技機）における前枠や、収容枠が裏機構枠の前面側に設けられる場合（裏機構枠前方着脱形態の遊技機）における裏機構枠などをいう。また「収容姿勢」とは遊技盤を枠部材の内側に位置させた姿勢をいい、遊技盤を枠部材の内部に位置させた収容姿勢から、固定手段によって遊技盤を固定保持させる過程で押圧力等により遊技盤が一定程度変位するような場合における変位前の姿勢を含む概念である。
【００１２】
【発明の実施の形態】
以下、本発明の好ましい実施形態について図面を参照しながら説明する。本発明に係る遊技盤の固定保持機構を備えた遊技機の代表例として、遊技盤を遊技機の正面側から前枠の前面側に着脱する前枠前方着脱形態のパチンコ機ＰＭを図１および図２に示しており、まず、これら両図を参照しながらパチンコ機ＰＭの全体構成について要約説明する。ここで、図１はパチンコ機ＰＭを正面側から見た正面図、図２はパチンコ機ＰＭを裏面側から見た背面図である。なお、図２では遊技盤の裏面中央部の記載を省略している。
【００１３】
パチンコ機ＰＭは、外郭方形枠サイズに構成されて縦向きの固定保持枠をなす外枠１の開口前面に、これに合わせた方形枠サイズに構成されて開閉搭載枠をなす前枠２が互いの左側縁に配設された上下のヒンジ機構３ａ，３ｂにより横開き開閉および着脱が可能に取り付けられ、常には右側縁に設けられた施錠装置４を利用して外枠１に閉鎖施錠された状態で保持される。
【００１４】
前枠２の正面側には、前枠２の前面域に合わせた方形状のガラス扉５と、遊技球を貯留する球皿部を有して横長方形状の上球皿６とが、ともに左側縁に内蔵されたヒンジ機構により横開き開閉および着脱が可能に組付けられ、常には施錠装置４および図示省略するロック機構を利用して前枠２の前面を覆う閉止状態で保持される。ガラス扉５の中央部にはポリカーボネート板やガラス板等の透明板材５ａ，５ｂが取り付けられており、背後に位置する遊技盤２０を透視可能になっている。前枠２の下部には遊技球を貯留する下球皿７設けられ、この下球皿７と並んで遊技球の発射操作を行う操作ハンドル８が取り付けられている。
【００１５】
前枠２の上部には、後に詳述する収容枠１０が形成されており、この収容枠１０に遊技盤２０が固定保持されてその前面域がガラス扉５に臨むように配設される。遊技盤２０は所定形状にルータ加工された厚さ１９ｍｍ程度の積層合板の表面にセルを貼り付けた化粧板（ベニヤとも称される）２１を基板として構成される。化粧板２１の前面側には、帯状の外レール２４ａおよび内レール２４ｂが円弧状に固設され、これらの案内レール２４ａ，２４ｂで囲まれた内側に遊技領域ＰＡが区画される。遊技領域ＰＡには、多数本の遊技釘とともにランプ風車２５ａや一般風車２５ｂ等の風車２５、一般入賞具２６ａや始動入賞具２６ｂ並びに大入賞口を備えたアタッカー２６ｃ等の入賞具２６、および遊技の進行状況に応じて所定の図柄を表示させる図柄表示装置２８などが取り付けられ、遊技領域ＰＡの下端には入賞具２６に入賞せずに落下した遊技球を遊技盤２０の裏面側に排出させるアウト口２７が設けられている。案内レール２４ａ，２４ｂの外側には効果照明を行うためのランプ具２３が取り付けられている。
【００１６】
前枠２の裏面下部には、遊技球を外レール２４ａに向けて発射する打球発射装置９、および操作ハンドル８の回動操作を受けて打球発射装置９の作動を制御する発射装置制御基板Ｂ２が取り付けられている。前枠２の上下中間領域には遊技補助盤と称される補助機構部が形成され、その前面側に打球発射装置９によって打ち出された遊技球を外レール２４ａに案内する発射レールや、遊技領域ＰＡに到達できずに打球発射装置９側に戻ってきたファール球を下球皿７に排出させるファール球回収経路部材、遊技の展開状況に応じた効果音を発生させるスピーカなどが取り付けられている。遊技補助盤は上球皿６の背後に位置しており、常には閉鎖保持される上球皿６によりその前面側が覆われている。
【００１７】
前枠２の背後に位置して、裏セット盤（裏機構盤とも称される）３０が取り付けられる。裏セット盤３０は、外枠１の内寸サイズよりも幾分小さめの方形状をなし中央に表裏貫通する窓口３１ｗを有して一体成形された基枠体３１をベースとして構成される。
【００１８】
裏セット盤３０には、窓口３１ｗを取り囲むようにして賞球を払い出すための賞球装置や遊技球の処理経路が設けられる。すなわち、基枠体３１の裏面側には、遊技球の貯留・供給を行うタンク部材３５、タンク部材３５から供給される遊技球を整列させて流下させる整列樋部材３６、整列樋部材から供給される遊技球を受けて所定数量の遊技球を待機保持させる賞球待機通路３７、賞球待機通路３７に待機された遊技球を所定の入賞条件等に基づいて払い出す球払出装置３８、球払出装置３８から払い出された遊技球を上下の球皿６，７に導く賞球払出経路３９などの賞球装置よび賞球経路が設けられている。
【００１９】
一方、基枠体３１の前面側には、窓口３１ｗの下方に位置して遊技盤２０の裏面側に排出されたアウト球およびセーフ球などを集合させる集合経路が形成され、基枠体３１の裏面側には集合経路と繋がって集合された遊技球を遊技施設側の回収バケットに排出させる球排出経路が形成されている。裏セット盤３０は、基枠体３１の側縁部上下に取り付けられた揺動ヒンジ部材３２，３３を介して前枠２の背後に横開き開閉および着脱可能に装備され、常には３カ所の閉鎖レバー３４を利用して前枠２の背面および化粧板２１の背面を覆うように閉鎖保持される。
【００２０】
また、裏セット盤３０の裏面各部には、パチンコ機ＰＭの作動を統括的に制御するメイン基板Ｂ１や、メイン基板Ｂ１からの指令信号に基づいて球払出装置の作動制御を行う球払出基板Ｂ３、効果照明や効果音の作動制御を行うランプ・音声制御基板Ｂ４、これらの制御基板や各種電子機器等に電力を供給する電源基板Ｂ５などの回路基板が着脱交換可能に取り付けられ、各回路基板や電子機器が図示しないワイヤーハーネスで接続されてパチンコ機ＰＭが構成される。
【００２１】
パチンコ機ＰＭは、ガラス扉５、上球皿６、裏セット盤３０等がそれぞれ閉鎖され、前枠２が外枠１に閉鎖施錠された状態で遊技に供される。遊技は上球皿６に遊技球を貯留させて操作ハンドル８を回動操作することにより開始され、上球皿６に貯留された遊技球が１球ずつ打球発射装置９に送られ操作ハンドル８の回動操作角度に応じた強度で遊技領域ＰＡに打ち出されてパチンコゲームが展開される。
【００２２】
このように概要構成されるパチンコ機ＰＭにあって、図３に、ガラス扉５や上下の球皿６，７、操作ハンドル８、遊技盤２０、裏セット盤３０などの遊技構成部品を取り外した状態の前枠２の正面図を示すように、前枠２の上部に遊技盤２０を収容する収容枠１０が形成され、この収容枠１０に遊技盤２０を係止する係止機構５０、収容された遊技盤２０を収容姿勢で仮止め支持する仮支持機構６０、および収容された遊技盤２０を収容姿勢に固定する固定機構７０，８０が設けられている。これらの各機構５０，６０，７０，８０は常には閉鎖施錠されるガラス扉５、上球皿６にその前面域が覆われる位置に配設されており、外観上パチンコ機の意匠に影響を与えることなく、また遊技者に各機構を認識させない構成となっている。
【００２３】
収容枠１０は、前枠２の裏面方向に延びて形成された壁面構成の上方枠部１１、下方枠部１２、右方枠部１３および左方枠部１４からなり、これら上下左右の枠部１１，１２，１３，１４が遊技盤２０の周囲を取り囲むように前枠２と一体に形成される。収容枠１０における左右枠部１３，１４の内面間隔は化粧板２１の幅寸法よりも１〜２ｍｍ程度大きく形成され、上下枠部１１，１２の内面間隔は化粧板２１の高さ寸法よりも数ｍｍ程度大きく形成されている。また、収容枠１０の各部には、各枠部の内面から収容枠１０の内側に向けて突出する舌片状ないしコーナ枠状の当て板部１１ａ，１２ａ，１３ａ，１４ａが形成されている。各当て板部１１ａ，１２ａ，１３ａ，１４ａは、収容枠１０の後方に突出しないように枠内に形成されており、収容枠１０の後端面が平坦になるように構成されている。
【００２４】
一方、化粧板２１の裏面側には、当て板部１１ａ，１２ａ，１３ａ，１４ａの形成位置に合わせて当て板受容部４１ａ，４２ａ，４３ａ，４４ａ（図４〜図１５を参照。後に詳述する）が形成されている。各当て板受容部４１ａ，４２ａ，４３ａ，４４ａは、当て板部１１ａ，１２ａ，１３ａ，１４ａの位置及び形状に合わせて化粧板２１の裏面を当て板部の厚さ分ザグリ加工することによって形成され、化粧板２１を収容枠１０に収容保持させたときに、収容枠１０の後端面と化粧板２１の裏面とが位置整合して平坦になるように構成されている。
【００２５】
さて、このように構成される収容枠１０にあって、下方枠部１２の左右２カ所に係止機構５０が配設されている。図３中の矢印ＩＶ方向に見た係止機構５０近傍の側断面図を図４に、この機構５０を収容枠１０の裏面側から見た斜視図を図５に示しており、以下、これらの図面を参照しつつ係止機構５０について説明する。
【００２６】
係止機構５０は、下方枠部１２を挟持するように取り付けられて上方に突出する係止金具５１を主体として構成される。係止金具５１は下方枠部１２の上面に支持されるベース部５１ａ、ベース部５１ａの前側が上向きに折り曲げられて上方に突出する係止辺部５１ｂ、ベース部５１ａの後側が下向きに折り曲げられて下方に延びる後方辺部５１ｃ、後方辺部５１ｃの下部が前方に折り返されてベース部５１ａと平行に延び下方枠部１２を上下に挟持する挟持辺部５１ｄ、挟持辺部５１ｄの前端側が下向きに折り曲げられて下方に延びネジ５８を挿通させる取付孔が穿設された固定辺部５１ｅなどから構成される。
【００２７】
係止辺部５１ｂの後面と後方辺部５１ｃの後端面との間隔、すなわちベース部５１ａの上面の前後方向寸法は、化粧板２１の板厚と同一またはこれよりわずかに小さめに設定されている。また係止辺部５１ｂの上端部は前方に向けて緩やかに曲げ成形され、化粧板２１の下端部を滑らかに受容して案内するとともに、化粧板表面のすり傷発生を防止している。係止金具５１は、板厚１〜２ｍｍ程度のステンレス鋼板や冷間圧延鋼板等の金属材料をパンチングやベンディング、プレス成形等の公知の加工手段を用いて図示する形状に成型し、必要に応じて所要の表面処理を施して形成する。
【００２８】
一方、係止金具５１の取付け位置には、下方枠部１２の後縁部が係止金具５１の板厚分切り欠かれて受容切り欠き部１２ｃが形成されており、係止金具５１が取り付けられたときに受容切り欠き部１２ｃに係止金具５１の後方辺部５１ｃを受容して、後方辺部５１ｃの後端面が左右の下方枠部１２を含む収容枠１０の後端面と同一面上に配設されるようになっている。受容切り欠き部１２ｃの下方には固定辺部５１ｅの前面を支持する円筒状のボス１２ｂが形成され、その中心部にネジ５８を受容するネジ受容部が形成されている。
【００２９】
また、下方枠部１２の左右側端には、下方枠部１２と左右の枠部１３，１４との間を繋いでコーナ枠状の当て板部１２ａ，１２ａが形成され、化粧板２１の裏面側の左右角部には当て板部１２ａの形状に合わせて当て板部１２ａの厚さ分ザグリ加工された当て板受容部４２ａが形成されている。化粧板２１の下端縁部は裏面側の角部が斜めにカットされ逃げ面４２ｅが形成されている。
【００３０】
係止金具５１は、受容切り欠き部１２ｃの形成位置に合わせて下方枠部１２の上面にベース部５１ａを載置し、係止金具５１を前方にスライド移動させてベース部５１ａと挟持辺部５１ｄとの間に下方枠部１２を挟持させるように嵌合接続させ、固定辺部５１ｅの後方から取付孔を通してネジ５８をボス１２ｂに螺合締結させることで、下方枠部１２に取り付けられる。
【００３１】
こうして係止金具５１が取り付けられると、ベース部５１ａが下方枠部１２の上面に支持され、係止辺部５１ｂが下方枠部１２の前側で上方に突出するように配設される。後方辺部５１ｂの後端面は収容枠１０の後端面と同一面上に配設され、係止辺部５１ｂはその後面と収容枠１０の後端面との間の前後方向寸法が化粧板２１の板厚と同一寸法もしくはわずかに小さめとなる前後方向位置に配設される。
【００３２】
このように構成される係止機構５０に遊技盤２０を装着する際には、ガラス扉５および上球皿６を開放させた状態で、遊技盤２０の前面側から化粧板２１の左右側縁部を把持して遊技盤２０をわずかに前傾姿勢に支持し、化粧板２１の下端部を係止辺部５１ｂの上方から収容枠１０内に斜めに挿入する。
【００３３】
ここで、当て板部１２ａの高さは、図３および図４に示すように、係止辺部５１ｂの突出高さよりも大きく形成されている。このため、化粧板２１の下端部を収容枠内に斜めに挿入したときに、左右の当て板受容部４２ａがそれぞれ当て板部１２ａの前面に係合してガイドされ、そのまま化粧板２１を下方にスライド移動させることで、化粧板前面の適正位置に左右２カ所の係止辺部５１ｂを係合させることができる。この係止辺部５１ｂの上端部は前方に向けて緩やかに曲げ成形されているため、下方にスライド移動された化粧板２１はその下端部が滑らかにベース部５１ａに導かれ、このとき係止辺部５１ｂおよびベース部５１ａが弾性変形して化粧板２１を傾斜姿勢で受容する。これにより、遊技盤２０が前傾姿勢でベース部５１ａ上に弾性的に付勢支持される。
【００３４】
なお、化粧板２１の裏面下端部には逃げ面４２ｅが形成されているため、遊技盤２０を傾斜姿勢で挿抜し、あるいは上下に揺動させても化粧板２１の下端部が収容枠１０の後端面よりも後方に突出することがなく、裏セット盤３０が収容枠１０の後端面と密着するように閉鎖保持されている状態で着脱作業を行っても、裏セット盤３０に無理な応力を発生させるようなことがない。
【００３５】
また、係止金具５１の後端側はコの字状に折り曲げられて挟持辺部５１ｄが形成され下方枠部１２を挟持するように構成されている。このため、係止辺部５１ｂを前方に傾けるような力が作用して係止辺部５１ｂおよびベース部５１ａが弾性変形しても、挟持辺部５１ｄがこの力を下方枠部１２に伝達して支持させ、固定辺部５１ｅに直接作用しないようになっている。従って、ネジ５８を介してボス１２ｂに過大な曲げモーメントや引っ張り力が作用することがなく、ボス１２ｂが破断したりネジ受容部が損傷したりすることがない。また、このように係止金具を屈曲形成することにより弾性変形可能な領域長を長く取ることができ、柔軟かつ塑性変形しにくい係止機構を小型に構成することができる。
【００３６】
なお、実施例では係止金具における係止辺部５１ｂをベース部５１ａに対して直角に折り曲げ、係止辺部５１ｂの後面と収容枠１０の後端面との間の前後方向寸法が化粧板２１の板厚と略同一の間隔を有して鉛直上方に突出する形態を例示したが、係止機構５０は係る形態に限定されるものではなく、化粧板２１の下端部を係止可能なものであればよい。例えば、実施例と同様の係止金具を配設する場合にあっては、係止辺部の下部で収容枠の後端面との間に化粧板２１の板厚よりも幾分大きめの間隔を有し、係止辺部の上部で収容枠の後端面との間に化粧板２１の板厚よりも幾分小さめの間隔を有して係止辺部５１ｂをベース部５１ａに対して直角よりも小さい角度に折り曲げ、やや後傾姿勢で突出させる形態としてもよい。このような形態の係止機構では、化粧板２１の板厚に多少のばらつきがあっても係止金具が弾性的に吸収し、化粧板との間に隙間が生じたり係止金具に過大な応力を発生させたりすることがない。
【００３７】
このように構成される左右の係止機構５０と対峙する上方枠部１１の中央部に遊技盤２０を収容姿勢で仮止めする仮支持機構６０と、収容された遊技盤２０を収容姿勢に固定保持する固定機構７０とが設けられている。両機構６０，７０の構成を図６〜図１０に示しており、以下これらの各図を参照しながら仮支持機構６０および固定機構７０について説明する。
【００３８】
ここで、図６は収容枠１０の裏面側斜め上方から見た仮支持機構６０および固定機構７０の分解斜視図、図７は図３中の矢印ＶＩＩ−ＶＩＩに沿った断面図であって遊技盤２０を収容枠１０に収容する前の状態における両機構を主として示す側断面図、図８は遊技盤２０を収容枠１０に収容して固定保持させた状態における両機構を主として示す側断面図、図９は図８中の矢印ＩＸ方向に見た背面図、図１０は図８中の矢印Ｘ−Ｘに沿った平断面図である。
【００３９】
遊技盤の仮支持機構６０は、上方枠部１１の上部に取り付けられて上方枠部１１から収容枠１０の内側に弾性的に突出し、遊技盤２０が収容枠１０に収容されたときに化粧板２１の上縁係合部４１と係脱可能に係合して遊技盤２０を収容姿勢で仮止め支持する仮止め金具６１を主体として構成される。
【００４０】
仮止め金具６１は、全体概要として、左右に分離されてそれぞれＬ字状に延びるアーム部と、このアーム部の前方に左右のアーム部を繋いで形成され下方に突出する横長樋状の係合辺部とからなり、より詳細には、上端にネジを挿通させる取付孔が形成されて下方に延びる左右の支持アーム部６１ａ、支持アーム６１ａの下部が前向きに折り曲げられて前方に延びる左右の揺動アーム部６１ｂ、揺動アーム部６１ｂの前側が下向きに折り曲げられて下方に延びるとともに左右の揺動アーム部を繋ぐように左右方向に延びて形成された第１係合辺部６１ｃ、第１係合辺部６１ｃの下側が前向きに折り曲げられて前方に延びる第２係合辺部６１ｄ、第２係合辺部６１ｄの前端部が斜め上方に折り曲げられた導入辺部６１ｅなどの各部から構成される。
【００４１】
このうち、揺動アーム部６１ｂは仮止め金具６１が上方枠部１１に取り付けられたときに、揺動アーム部６１ｂの下面が上方枠部１１の枠面と略同一高さになるように形成され、第２係合辺部６１ｄは遊技盤２０を収容枠１０に収容させた収容姿勢において化粧板２１の上端面（上辺部４１ｂ）の高さ位置よりも低く形成され、第１係合辺部６１ｃが化粧板の第１係合面４１ｃと所定の係合高さをもって係合するように構成されている。また、支持アーム部６１ａと揺動アーム部６１ｂとが左右に分離して形成され、これらのアーム部の間に後方からアプローチ可能な空間を形成するとともに、各アーム部の形成幅は金属材料のヤング率、板厚およびアーム長さに基づいて所定のバネ定数となるような幅に設定されており、揺動アーム部６１ｂが上下方向に適当な弾性力を有して揺動変位できるように構成している。仮止め金具６１は、板厚０．５〜１ｍｍ程度のステンレス鋼板や冷間圧延鋼板等の金属材料をパンチングやベンディング、プレス成形等の公知の加工手段を用いて図示する形状に成型し、必要に応じて所要の表面処理を施して形成する。
【００４２】
固定機構７０は、上方枠部１１の上部に前後方向に延びて軸支され前枠２の前面側から回動操作可能に取り付けられる操作ボルト７２、上方枠部１１の裏面側で操作ボルト７２に連結されて垂直面内に揺動可能に配設され仮止め金具６１と係脱可能に係合する固定金具７１、固定金具７１を操作ボルトに連結固定するバネ座金７３およびナット７４などから構成される。
【００４３】
操作ボルト７２は、いわゆるストリッパボルトまたはショルダボルトと称される形態の六角穴付きボルトをベースとし、先端の雄ネジ部を上下平行に面取りして係合部７２ｂが形成されている。
【００４４】
固定金具７１は、全体として卵形の平板カム形態をなし、舌片状のレバー部７１ａ、レバー部７１ａの基端側に操作ボルトの係合部７２ｂに合わせて小判状に穿設された係合孔７１ｂ、レバー部７１ａの先端側が緩やかに前方に曲げ成型されて形成された第１押圧部７１ｃ、レバー部７１ａの先端に円弧状に形成された第２押圧部７１ｄなどから構成される。
【００４５】
レバー部７１ａおよび第１押圧部７１ｃは、固定金具７１が上方枠部１１に取り付けられたときに、係止金具６１における第１係合面６１ｃの前面の配設位置と整合し、固定金具７１を操作ボルト７２の軸まわりに揺動させたときに第１押圧部７１ｃが係止金具の第１係合面６１ｃと滑らかに係脱可能になっている。また、第２押圧部７１ｄは固定金具７１を操作ボルト７２の軸まわりに揺動させたときに、円弧状の外周端面で係止金具の第２係合辺部６１ｄと係脱可能に係合して第２係合辺部６１ｄを押圧可能に構成され、操作ボルトの回動軸から先端までの半径が第２係合面６１ｄを介して化粧板２１の第２係合辺部４１ｄを固定可能な長さに設定されている。固定金具７１は、板厚２〜３ｍｍ程度の冷間圧延鋼板やステンレス鋼板等の金属材料をパンチングやプレス成形等の公知の加工手段を用いて図示する形状に成型し、必要に応じて所要の表面処理を施して形成する。
【００４６】
一方、上方枠部の中央には、上方枠部１１から下方に延びて正面視（または背面視）台形形状の当て板部１１ａが延出され、その上方に仮支持機構６０および固定機構７０の機構取付部が形成されている。
【００４７】
機構取付部の中央には前枠２の前方から後方に延びて円筒状の軸受ボス１１ｃが形成され、その中心に軸受ボス１１ｃの前後を貫通して操作ボルト７２の軸部を回動自在に軸支する軸受孔が形成されている。軸受ボス１１ｃの裏面側端部には固定金具７１の前面と当接して固定金具７１を滑らかに摺動支持する座面が形成され、その前後方向位置は、固定金具７１が当接支持されたときにレバー部７１ａの後面が係止金具６１における第１係合面６１ｃの前面の配設位置よりもわずかに後方に位置するように（すなわち第１係合面６１ｃを後方に押圧するように）形成されている。
【００４８】
また、軸受ボス１１ｃの左右には、前枠２の前方から後方に延びて円筒状のアーム支持ボス１１ｂが形成され、その中心にネジ６８を受容するネジ受容穴が形成されている。アーム支持ボス１１ｂは、軸受ボス１１ｃよりも後方に延びて形成され、アーム支持ボス１１ｂに仮止め金具６１を取り付けたときに支持アーム部６１ａの後面が当て板部１１ａの前面と略同一または当て板部１１ａの前面よりも幾分前方に位置するように設定される。
【００４９】
アーム支持ボス１１ｂおよび軸受ボス１１ｃの下方には、上方支持枠１１を上下に連通する開口部１１ｄが形成されている（図１０を参照）。開口部１１ｄは仮止め金具６１の左右幅および固定金具７１の揺動位置に合わせて形成されており、仮止め金具６１および固定金具７１をそれぞれアーム支持ボス１１ｂおよび軸受ボス１１ｃに取り付けたときに、仮止め金具６１の揺動アーム部から先端側、固定金具７１の先端側を上方枠部１１から下方に突出させることができるようになっている。
【００５０】
仮支持機構６０は、仮止め金具６１の前端側を開口部１１ｄを通して収容枠１０の内方に位置させ、左右の支持アーム部６１ａをネジ６８を用いてアーム支持ボス１１ｂにねじ止めすることで上方枠部１１に取り付けられる。取付姿勢においては、仮止め金具６１における揺動アーム部６１ｂの下面が上方枠部１１の枠面と略同一高さに位置し、第１係合辺部６１ｃ、第２係合辺部６１ｄ、導入辺部６１ｅなどからなる係合辺部が開口部１１ｄから下方に突出した位置に配設される。揺動アーム部６１ｂは上下に弾性変形可能であり、これにより係合辺部６１ｃ，６１ｄ，６１ｅが上下に揺動変位可能に支持される。
【００５１】
固定機構７０は、前枠２の前面側から操作ボルト７２を軸受ボス１１ｃの軸受孔に挿通させ、裏面側に突出した係合部７２ｂに係合孔７１ｂを係合させて固定金具７１を支持させ、雄ネジ端部からバネ座金７３およびナット７４を係合させて締め付けることで上方枠部１１に取り付けられる。取付姿勢にあっては、固定金具７１が左右のアーム支持ボス１１ｂに当接しない角度範囲で揺動可能に支持され、操作ボルト７２を前枠２の前面側から回動操作することで、固定金具の第１押圧部７１ｃが係止金具の第１係合面６１ｃと滑らかに係脱して第１係合面を後方に押圧し、第２押圧部７１ｄが係止金具の第２係合辺部６１ｄと係脱して第２係合辺部６１ｄを下方に押圧可能に配設される。
【００５２】
一方、化粧板２１の上部中央には上縁係合部４１が形成されている。上縁係合部４１は、化粧板２１の裏面側に形成された当て板受容部４１ａ、化粧板２１の上端面たる上辺部４１ｂ、化粧板２１の前面側に形成された第１係合面４１ｃおよび第２係合面４１ｄ、当て板受容部４１ａと上辺部４１ｂとが交わる上端角部が斜めにカットされて斜面状に形成された導入面４１ｅ、上辺部４１ｂと第１支持面４１ｃが交わる上端角部が面取りされて斜面状に形成された導出面４１ｆなどから構成される。
【００５３】
当て板受容部４１ａは、化粧板２１の裏面側を当て板部１１ａの位置及び形状に合わせて当て板部１１ａの厚さ分ザグリ加工することによって形成され、遊技盤２０の収容姿勢において収容枠１０の後端面と化粧板２１の裏面とが整合して平坦になるように構成されている。第１係合面４１ｃおよび第２係合面４１ｄは、仮止め金具６１の第１係合辺部６１ｃの前後方向の配設位置および第２係合辺部６１ｄの上下方向の変位範囲に合わせて化粧板２１の前面側をザグリ加工することによって形成され、後述する収容姿勢において第１係合面４１ｃが第１係合辺部６１ｃと所定の係合高さをもって係合し、第２係合面４１ｄの上方に第２係合辺部６１ｄが位置するように構成される。
【００５４】
導入面４１ｅは、係止機構５０に化粧板２１の下端部を係合させて遊技盤２０を閉鎖方向に揺動させたときに、仮止め金具６１の導入辺部６１ｅが導入面４１ｅに当接して乗り上げ可能に形成され、導出面４１ｆは遊技盤２０を収容姿勢から遊技盤２０の上部を前方に引いて化粧板２１を前傾方向に傾動させたときに、仮止め金具６１の第１係合辺部６１ｃの下端角部が導出面６１ｆに案内されて乗り越え可能に形成されている。
【００５５】
さて、以上のように構成される仮支持機構６０および固定機構７０の作用について、まず遊技盤２０を収容枠１０に装着する場合から、図１１および図１２を併せて参照しながら説明する。ここで、図１１は遊技盤２０を収容枠１０に装着するときの仮支持機構６０の作用を示す説明図（側断面図）、図１２は遊技盤２０を仮止め支持させたときの仮支持機構６０の作用を実線で示し、遊技盤２０を固定保持させたときの仮支持機構６０および固定機構７０の作用を二点鎖線で示す説明図（側断面図）である。
【００５６】
作業者は、操作ボルト７２を回動操作して固定金具７１を上方に揺動待避させ、後述する側方の固定機構８０における固定金具８１を上方または下方に揺動待避させた状態で、既述した係止機構５０を利用して化粧板２１の下端部を収容枠１０に斜めに挿入し、遊技盤２０を前傾姿勢でベース部５１ａ上に弾性的に支持させる。この状態で作業者が前傾方向への力を弱めると遊技盤２０は係止金具５１の弾性力により遊技盤２０の上部が後方に揺動し、図１１に示すように、化粧板２１における上縁係合部４１の導入面４１ｅが仮止め金具６１の導入辺部６１ｅに当接した仮支持姿勢に係止される。
【００５７】
この状態から作業者が遊技盤２０の上部を後方に押圧すると、導入辺部６１ｅが導入面４１ｅに案内されて導入面４１ｅの斜面を滑るように上動され、揺動アーム部６１ｂの前端側を上方に揺動させるように弾性変形させて、化粧板２１の進入を許容させる。導入辺部６１ｅが導入面４１ｅの上端まで移動すると、今度は第２係合辺部６１ｄが上辺部４１ｄ上を滑り、化粧板２１をさらに収容枠１０の内方に進行させる。ここで、上方枠部１１には導入辺部６１ｅの上方に位置して受容溝１１ｅが形成されており、揺動アーム部６１ｂが揺動されて導入辺部６１ｅが上動されたときに導入辺部６１ｅを受容して待避させ、化粧板２１を滑らかに着脱できるようになっている。
【００５８】
化粧板２１の収容枠１０内方への揺動移動が進行し、第２係合辺部６１ｄの後方角部が上辺部４１ｄの前端部まで到達すると、揺動アーム部６１ｂに蓄えられた弾性力により第２係合辺部６１ｄの後方角部が導出面４１ｆの斜面を滑り降りるように下動し、図１２中に実線で示すように第１係合辺部６１ｃが第１係合面４１ｃと係合してアーム部が弾性変形する前の形状に復帰する。またこのとき、化粧板の当て板受容部４１ａが当て板部１１ａに当接し遊技盤２０が収容枠１０に収容された収容姿勢で仮止めされる。
【００５９】
この仮止め状態では、仮止め金具６１における第１係合辺部６１ｃと、化粧板の上縁係合部４１における第１係合面とが、例えば１ｍｍ程度の所定の係合高さで係合しており、作業者が化粧板２１を後方に押圧する押圧力を解放しても遊技盤２０が収容枠１０に収容された収容姿勢に維持される。
【００６０】
作業者はこのように仮止めされた遊技盤２０の前方から、操作ボルト７２を六角レンチ等を利用して回動操作し、固定金具７１を下方に揺動させる。固定金具７１が揺動されると固定金具の先端側が円弧軌跡を描いて下動し、まず前方に緩やかに曲げ成形された第１押圧部７１ｃの曲面領域が係止金具の第１係合辺部６１ｃの上部と滑らかに係合する。さらに固定金具７１が下方に揺動されると先端側の曲面領域が下方に移動するに伴って基端側の平坦領域が第１係合辺部６１ｃと係合し第１係合辺部６１ｃを後方に押圧する。また、固定金具７１の揺動に伴って先端の第２押圧部７１ｄが係止金具の第２係合辺部６１ｄと係合して下方に押圧し、さらに固定金具７１が下方に揺動されると第１係合辺部６１ｃが第１支持面４１ｃに沿って下動し、支持アーム６１ａと揺動アーム部６１ｂとを弾性変形させながら第２係合辺部６１ｄを下方に押圧移動させる。
【００６１】
そして、固定金具のレバー部７１ａが鉛直上下方向に延びる角度位置まで揺動されると、第１押圧部７１ｃが第１係合辺部６１ｃを介して第１支持面４１ｃを後方に押圧して背後の当て板部４１ａとの間に化粧板２１を挟持し、第２押圧部７１ｄが第２係合辺部６１ｄを介して第２支持面４１ｄを下方に押圧して下方枠部１２との間に化粧板２１を挟持して、遊技盤２０を収容姿勢に固定保持する（図８を参照）。
【００６２】
こうして遊技盤２０が収容枠１０に固定保持されると、当て板部１１ａが当て板受容部４１ａに受容されて化粧板２１の後面と収容枠１０の後端面とが同一面上に配設される。このため、収容枠１０の裏面側に平坦面が形成され、この後方に閉鎖される裏セット盤３０との整合性を高めた構成を実現している。また、当て板部１１ａを上方枠部１１の内面から収容枠１０の内方に向けて突出形成させるとともに、化粧板２１の裏面側をザグリ加工することによって当て板受容部４１ａを形成しているため、収容枠１０を含む前枠２の厚さ寸法を薄型に構成することができる。
【００６３】
一方、遊技盤２０を取り外す際には上記装着時と逆の手順による。すなわち、図８に示すように遊技盤が固定された状態において、ガラス扉５を開放させ、前枠２の前方から六角レンチ等により操作ボルト７２を時計回りまたは反時計回りに回動操作する。
【００６４】
操作ボルト７２が回動されると、固定金具７１が揺動され先端の第２押圧部７１ｄ、第１押圧部７１ｃが円弧軌跡を描いて上動される。このため、これらの押圧部に押圧されていた第２係合辺部６１ｄ、第１係合辺部６１ｃへの押圧力が押圧部の上動に伴って緩められ、弾性変形していた揺動アーム部６１ｂ、支持アーム部６１ａに蓄えられた弾性力により両アーム部が復元方向に変位して第２係合辺部６１ｄ、第１係合辺部６１ｃ等を上方に揺動させ、図１１に示す仮止め姿勢に復帰する。
【００６５】
次いで、この仮止め姿勢から、例えば遊技盤上方の遊技釘や外レールに指をかけて化粧板２１を前方に引き出す。このとき、遊技盤２０は化粧板２１の前面下端部が係止金具５１によって係止されているため、当該係止部を中心として前方に傾動しようとし、固定金具６１は第１係合面４１ｃと係合状態にある第１係合辺部６１ｃが前方に引かれて、ネジ６８の固定部を中心にアーム部先端側の第１第２係合辺部が上方に揺動される。
【００６６】
そして、第１係合辺部６１ｃの下端角部が第１係合面４１ｃの上端を越えて導出面４１ｆに達すると、第１係合辺部６１ｃの下端角部はこの斜面状の導出面４１ｆに案内されて揺動アーム部６１ｂを上方に揺動させながら滑るように上辺部４１ｂに至り、上辺部４１ｂおよび導入面４１ｅをなぞるように通過させて、図１１に示す仮止め前の状態になる。この状態では化粧板２１の下端部が止金具５１に弾性的に支持された仮支持姿勢にあり、遊技盤２０の前面側を支えていなくても遊技盤が前方に倒れ出ることがない。そこで、作業者は遊技盤２０を搬出するに適宜な位置を両手で把持し、化粧板２１を斜め上方に引き出すことで遊技盤２０を取り外すことができる。
【００６７】
このように、係止機構５０を備えた遊技機では、遊技盤２０を係止機構に係止させたときに、係止機構５０によって遊技盤２０が収容方向に付勢された仮支持姿勢に係止される。さらに、仮支持機構６０および固定機構７０を備えた遊技機では、遊技盤２０を収容枠１０に収容させたときに、仮支持機構６０によって遊技盤２０が収容姿勢に仮止めされ、固定機構７０による固定が解除された状態でも遊技盤２０が収容姿勢に維持される。このため、遊技盤の着脱作業時に、収容枠１０に収容させた遊技盤２０を支えていなくても遊技盤２０が倒れ出てきたり滑り出て来るようなことがなく、従って遊技盤を落下させ、あるいは遊技盤の裏面側に接続したコネクタケーブルを破損させるおそれを未然に防止して、非熟練者でも容易かつ安全に遊技盤の着脱交換を行うことができる。
【００６８】
なお、実施例では遊技盤の着脱作業の容易さや係止機構５０による遊技盤２０の仮支持姿勢の安定化、下方枠部１２に配設される機構構成の簡明化、および化粧板２１の上下辺の浮き上がり防止などの観点から、係止機構５０を収容枠１０における下方枠部１２に設け、仮支持機構６０および固定機構７０を上方枠部１１に設けた例を示したが、これらの各機構は係止機構５０と仮支持機構６０および固定機構とが対峙する枠部に配設される位置関係であれば適宜に変更して設けることができ、例えば、上下の配設位置関係を逆に構成し、あるいは左右の枠部に対峙するように配設して構成することも可能である。
【００６９】
次に、収容枠１０における左右の枠部１３，１４に配設される固定機構８０について図１３〜図１５を参照して説明する。なお、右方枠部１３に配設される固定機構と左方枠部１４に配設される固定機構とは共通部品を用いて左右対称に配設されている。そこで、以下では右方枠部１３に配設される固定機構８０を例示して説明し、左方枠部１４に配設される固定機構８０についての重複説明を省略する。ここで、図１３は図３中の矢印ＸＩＩＩ−ＸＩＩＩに沿った平断面図であって遊技盤２０を収容枠１０に収容する前の状態における固定機構８０の平断面図、図１４は収容枠１０の前面側斜め上方から見た固定機構８０の分解斜視図、図１５は図１３に対応し遊技盤２０を収容枠１０に収容して固定保持させた状態における固定機構８０の平断面図である。
【００７０】
固定機構８０は、右方枠部１３に前後に延びて軸支され収容枠１０の前面側から回動操作可能に取り付けられる操作ボルト８２、操作ボルト８２に連結されて垂直面内に揺動可能に支持される固定金具８１、操作ボルト８２を固定するバネ座金８３およびナット８４などから構成される。
【００７１】
固定金具８１は、舌片状のレバー部８１ａ、レバー部８１ａの基端側に穿設された角孔状の係合孔８１ｂ、レバー部８１ａの先端側にエンボス加工により形成されて後方に球面状に突出する押圧部８１ｃなどからなり、既述した固定金具７１と同様の金属材料を同様の加工手段により成形し所要の表面処理を行って形成される。また操作ボルト８２は六角穴付きボルトをベースとし、プレス成形や切削加工によりボルト頭部の座面側に係合孔８１ｂと係脱可能な角柱状の係合部８２ｂを形成して構成される。
【００７２】
右方枠部１３には、前後に延びて軸受ボス１３ｃが形成され、その中心に軸受ボス１３ｃの前後を貫通して操作ボルト８２の軸部を回動自在に軸支する軸受孔が形成されている。軸受ボス１３ｃの前端側には操作ボルトの角柱部８２ｂを受容するとともに、前端面で固定金具８１の係合孔８１ｂの周囲を支持する円環状の支持部１３ｂが形成されている。また、軸受ボス１３ｃの後端側は収容枠１０の後端面よりも浅く設定されて座面が形成されており、バネ座金８３およびナット８４を受容して操作ボルト８２のネジ先端部が後方に突出しないように構成されている。なお、支持部１３ｂの前端面の形成位置は、固定金具８１の後面が支持部１３ｂに当接するように取り付けたときに、固定金具８１における押圧部８１ｃの突出端面が収容姿勢にある化粧板２１の前面よりも幾分後方に位置するように（すなわち、押圧部８１ｃが押圧力をもって化粧板２１と係合するように）設定されている。
【００７３】
左方枠部１３の後端側には、固定金具８１の揺動領域に合わせて左方枠部１３の内面から収容枠１０の内方に向けて突出する当て板部１３ａが形成され、その基端側には軸受ボス１３ｃと同軸に収容枠１０の内方に円弧状に突出する位置決め突起部１３ｓが形成されている。
【００７４】
一方、化粧板２１の裏面側には、遊技盤２０の収容姿勢における当て板部１３ａの位置及び形状に合わせてザグリ加工された当て板受容部４３ａが形成されるとともに、位置決め突起部１３ｓと係合可能なアーチ状の位置決め受容部４３ｓが形成されている。また、化粧板２１の前面に固定されたランプ具２３には、固定金具８１の揺動軌跡に合わせて金具受容部２３ｃが形成されており、固定金具８１を揺動変位させたときに固定金具の先端側を受容可能に構成されている。
【００７５】
固定機構８０は、固定金具８１の前面側から係合孔８１ｂに操作ボルト８２を通して係合孔８１ｂと係合部８２ｂとを係合させて、前枠２の前面側から操作ボルト８２を軸受ボス１３ｃの軸受孔に挿通させ、裏面側に突出した雄ネジ部にバネ座金８３およびナット８４を係合させて締め付けることにより右方枠部１３に取り付けられる。取付姿勢にあっては、固定金具８１が支持部１３ｂの前端面に当接支持されて垂直面内で操作ボルト８２の軸まわりに揺動可能に配設され、操作ボルト８２を前枠２の前面側から回動操作することで、レバー部先端側の押圧部８１ｃを収容枠１０の内方に突出させ、あるいは収容枠１０の外方に待避させることができる。
【００７６】
このように構成される固定機構８０では、図１３に示すように、固定金具８１のレバー部８１ａを下方（または上方）に位置させてレバー部８１ａを収容枠１０の前方延長線上から待避させた状態で、既述したように遊技盤２０を収容枠内に収容させる。このとき、遊技盤２０は化粧板２１の下端面が係止金具５１のベース部５１ａに支持されて上下方向に位置決めされ、また化粧板２１の左右に形成された位置決め受容部４３ｓが左右の枠部１３，１４に形成された位置決め突起部１３ｓと係合して左右方向に位置決めされた状態で、仮支持機構６０によって収容枠１０に仮止めされる。
【００７７】
そこで、作業者は図１３中に二点鎖線で付記するように前枠２の前方から六角レンチＬを用いて操作ボルト８２を回動させ、固定金具８１を時計回りに揺動させる。このとき固定金具８１の先端部は円弧軌跡を描いて上方に揺動し、その先端部がランプ具２３に形成された金具受容部２３ｃからランプ具２３の内側に進入して受容されるとともに、押圧部８１ｃが化粧板２１の前面に乗り上げるように滑らかに係合し、レバー部８１ａがわずかに弾性変形して化粧板２１を後方に押圧する。これにより、遊技盤２０は当て板部１３ａと固定金具８１との間に所定押圧力をもって挟持され収容枠１０に固定保持される。
【００７８】
こうして遊技盤２０が収容枠１０に固定保持されると、当て板部１３ａが当て板受容部４３ａに受容されて化粧板２１の後面と収容枠１０の後端面とが同一面上に配設され、裏セット盤３０との整合面が平坦に形成される。また、当て板部１３ａが右方枠部１３の内面から収容枠１０の内方に向けて突出成形されるとともに、化粧板２１の裏面側をザグリ加工することによって当て板受容部４３ａが形成されているため、収容枠１０を含む前枠２の厚さ寸法を薄型に構成することができる。
【００７９】
また、固定機構８０ではランプ具２３に金具受容部２３ｓを設け、固定金具８１の先端部がランプ具２３の内方に進入して化粧板２１を固定保持する構成のため、固定金具８１がガラス扉５の前面側から殆ど視認されることがなく、遊技機の意匠を妨げることなく着脱操作が容易な固定機構を提供することができる。
【００８０】
そして、以上のようにして構成される遊技盤の固定装置は、図１６に示すように遊技盤２０（化粧板２１）の下辺左右に係止機構５０，５０が設けられ、遊技盤２０の上辺中央部に仮支持機構６０および固定機構７０が設けられて、遊技盤２０の下辺を基準とする二等辺三角形の固定形態が形成される。また、左右の固定機構８０，８０により遊技盤２０の左右の側辺部がこれに加えて固定され下辺を基準とする五角形の固定形態が形成される。
【００８１】
一方、従来における遊技盤の固定形態は、図１７（ａ）に示すように遊技盤の左右の側辺部に閉鎖クランプＫ１〜Ｋ４を設け、これらの閉鎖クランプＫ１〜Ｋ４で遊技盤を押圧固定する固定形態や、図１７　（ｂ）に示すように遊技盤の四隅に回転式の固定レバーＬ１〜Ｌ４を設けるとともに収容枠側に固定レバーと係合するレバー係合部を配設し、これらの固定レバーＬ１〜Ｌ４を９０度ないし１８０度回転させることで固定レバーとレバー係合部とを係合させ遊技盤を固定する固定形態が用いられていた。ところが、これらの固定形態ではいずれも遊技盤の上下辺の中央部の固定が不十分になりやすく、遊技機のなかには上下辺の中央部が収容枠から浮き上がった状態で使用されているものも散見される。
【００８２】
本実施例に開示する固定形態では、上記したように遊技盤２０の下辺が２カ所の係止機構５０により固定され、遊技盤２０の上辺中央部が固定機構７０により固定されるため、従来の固定機構のように遊技盤の上下中央部が浮き上がるようなことがなく、さらに左右側辺部の固定機構を加えた五角形の固定形態により遊技盤２０を確実に収容枠に固定して安定性の高い固定機構を構成している。
【００８３】
なお、以上では、収容枠１０が前枠２の前面側に一体に形成され、遊技盤２０を前枠２の前方から着脱する前枠前方着脱形態のパチンコ機ＰＭを例に説明したが、本発明はかかる着脱形態に限るものではない。例えば、収容枠が裏セット盤の前面側に設けられ、前枠の前方または裏セット盤の前方から遊技盤を着脱する裏機構枠前方着脱形態の遊技機や、これらの各形態において収容枠が前枠や裏セット盤と別体に形成され、これを前枠または裏セット盤に組み付けることで収容枠が配設される遊技機などにおいても同様に構成し同様の効果を得ることができる。
【００８４】
【発明の効果】
以上説明したように、本発明では、所定の遊技領域が形成された遊技盤と、この遊技盤を遊技機の前面側から着脱可能に収容して遊技領域をガラス扉に臨むように配設させる枠部材と、枠部材に収容された遊技盤を枠部材に固定保持させる固定手段とを備え、遊技盤が固定手段により枠部材に固定された状態で遊技に供される遊技機において、枠部材には遊技盤が枠部材に収容されたときに遊技盤と係脱可能に係合して遊技盤を収容姿勢で仮止めする仮止め部材を有し、固定手段には収容姿勢に位置した遊技盤の前面側と係脱可能に係合して遊技盤を後方に押圧する押圧部材を有し、枠部材には遊技盤を収容する枠部の内方に突出し押圧部材と対向して遊技盤の裏面側を支持する当て板部を有し、遊技盤の裏面側に当て板部を受容する当て板受容部を形成して、遊技盤を枠部材に収容させて固定手段により固定したときに、当て板部材が当て板受容部に受容されて枠部材の裏面側と遊技盤の裏面側とが平坦になるように遊技盤の固定保持機構を構成する。
【００８５】
このような構成の固定保持機構によれば、遊技盤の裏面側を支持する当て板部材が枠部材から枠部の内方に突出して配設され、遊技盤の裏面側には当て板部を受容する当て板受容部が形成されて、遊技盤を固定保持させたときに枠部材の裏面側と遊技盤の裏面側とが平坦になるように構成される。このため、収容枠を含む遊技機全体の前後方向寸法を小型に構成することができるとともに、枠部材の背後に位置する裏機構枠等との整合性を高めた固定保持機構を提供することができる。
【００８６】
また、上記構成の固定保持機構によれば、作業者が遊技盤を枠部材に収容させると遊技盤が仮止め部材によって収容姿勢に仮止めされ、この状態で遊技盤から手を離しても収容姿勢が保持される。従って、このような固定保持機構を備えた遊技機では、遊技盤の着脱作業時に遊技盤が滑り出て落下させるようなことがなく、熟練作業者でなくても容易かつ安全に盤面交換を実施可能な遊技機を提供することができる。
【図面の簡単な説明】
【図１】本発明に係る遊技盤の仮支持機構を備える遊技機の一例として示すパチンコ機の正面図である。
【図２】上記パチンコ機の裏面側を示す背面図である。
【図３】上記パチンコ機からガラス扉や上下の球皿、遊技盤、裏セット盤などの遊技構成部品を取り外した状態の前枠２の正面図である。
【図４】図３中の矢印ＩＶ方向に見た係止機構近傍の側断面図である。
【図５】上記係止機構を収容枠の裏面側から見た斜視図である。
【図６】収容枠の裏面側斜め上方から見た仮支持機構および固定機構の分解斜視図である。
【図７】図３中の矢印ＶＩＩ−ＶＩＩに沿った断面図であり、遊技盤を収容枠に収容する前の状態における仮支持機構および固定機構を主として示す側断面図である。
【図８】遊技盤を収容枠に収容して固定保持させた状態における仮支持機構および固定機構を主として示す側断面図である。
【図９】図８中の矢印ＩＸ方向に見た仮支持機構および固定機構の背面図である。
【図１０】図８中の矢印Ｘ−Ｘに沿った仮支持機構および固定機構の平断面図である。
【図１１】遊技盤を収容枠に収容させるときの仮支持機構の作用を示す説明図（側断面図）である。
【図１２】遊技盤を仮止め支持させたときの仮支持機構の作用を実線で示し、遊技盤を固定保持させたときの仮支持機構および固定機構の作用を二点鎖線で示す説明図（側断面図）である。
【図１３】図３中の矢印ＸＩＩＩ−ＸＩＩＩに沿った平断面図であり、遊技盤を収容枠に収容する前の状態における固定機構８０の平断面図である。
【図１４】収容枠の前面側斜め上方から見た固定機構の分解斜視図である。
【図１５】遊技盤を収容枠に収容して固定保持させた状態の固定機構の平断面図である。
【図１６】本実施例に開示する固定機構の配設位置を模式的に示す説明図である。
【図１７】従来の固定機構の配設位置を模式的に示す説明図である。
【符号の説明】
Ｂ１　メイン基板
Ｂ２　発射装置制御基板
Ｂ３　球払出制御基板
Ｂ４　ランプ・音声制御基板
Ｂ５　電源基板
ＰＡ　遊技領域
ＰＭ　パチンコ機
１　外枠
２　前枠
３ａ，３ｂ　ヒンジ機構
４　施錠装置
５　ガラス扉（５ａ，５ｂ　透明板材）
６　上球皿
７　下球皿
８　操作ハンドル
９　打球発射装置
１０　収容枠
１１　上方枠部（１１ａ　当て板部、１１ｂ　アーム支持ボス、１１ｃ　軸受ボス、１１ｄ　開口部、１１ｅ　受容溝）
１２　下方枠部（１２ａ　当て板部、１２ｂ　ボス、１２ｃ　受容切り欠き部）
１３　右方枠部（１３ａ　当て板部、１３ｂ　支持部、１３ｃ　軸受ボス、１３ｓ　位置決め突起部）
１４　左方枠部（１４ａ　当て板部）
２０　遊技盤
２１　化粧板
２３　ランプ具（２３ｓ　金具受容部）
２４　案内レール（２４ａ　外レール、２４ｂ　内レール）
２５ａ，２５ｂ　風車
２６　入賞具
（２６ａ　一般入賞具、２６ｂ　始動入賞具、　２６ｃ　アタッカー）
２７　アウト口
２８　図柄表示装置
３０　裏セット盤
３１　基枠体（３１ｗ　窓口）
３２，３３　裏セット盤揺動ヒンジ部材
３４　閉鎖レバー
３５　タンク部材
３６　整列樋部材
３７　賞球待機通路
３８　球払出装置
３９　賞球払出経路
４１　上縁係合部（４１ａ　当て板受容部、４１ｂ　上辺部、
４１ｃ　第１係合面、４１ｄ　第２係合面、４１ｅ　導入面、４１ｆ　導出面）
４２ａ　当て板受容部
４２ｅ　逃げ面
４３ａ　当て板受容部
４３ｓ　位置決め受容部
４４ａ　当て板受容部
５０　係止機構
５１　仮止め金具（５１ａ　ベース部、５１ｂ　係止辺部、５１ｃ　後方辺部
５１ｄ　挟持辺部、５１ｅ　固定辺部）
５８　ネジ
６０　仮支持機構
６１　仮止め金具（６１ａ　支持アーム部、６１ｂ　揺動アーム部、
６１ｃ　第１係合辺部、６１ｄ　第２係合辺部、６１ｅ　導入辺部）
６８　ネジ
７０　固定機構
７１　固定金具（７１ａ　レバー部、７１ｂ　係合孔、７１ｃ　第１押圧部、
７１ｄ　第２押圧部）
７２　操作ボルト（７２ｂ　係合部）
７３　バネ座金
７４　ナット
８０　固定機構
８１　固定金具（８１ａ　レバー部、８１ｂ　係合孔、８１ｃ　押圧部）
８２　操作ボルト
８３　バネ座金
８４　ナット
【図１】
2004016251.tif 000003
【図２】
2004016251.tif 000004
【図３】
2004016251.tif 000005
【図４】
2004016251.tif 000006
【図５】
2004016251.tif 000007
【図６】
2004016251.tif 000008
【図７】
2004016251.tif 000009
【図８】
2004016251.tif 000010
【図９】
2004016251.tif 000011
【図１０】
2004016251.tif 000012
【図１１】
2004016251.tif 000013
【図１２】
2004016251.tif 000014
【図１３】
2004016251.tif 000015
【図１４】
2004016251.tif 000016
【図１５】
2004016251.tif 000017
【図１６】
2004016251.tif 000018
【図１７】
2004016251.tif 000019